【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ブロードキャストサービスについての構成メッセージを受信すること、前記構成メッセージは、グループ通信識別子および優先度インジケータを備える、と、
前記グループ通信識別子、前記優先度インジケータ、およびタイムスタンプを備えるモニタリング要求をワイヤレス中継器に送信することと、
前記グループ通信識別子および最後に受信された優先度インジケータに少なくとも部分的に基づいて、前記ワイヤレス中継器を介して前記ブロードキャストサービスについてのブロードキャストコンテンツを受信すること、ここにおいて、前記最後に受信された優先度インジケータは、前記タイムスタンプに少なくとも部分的に基づいて決定される、と
を備える、方法。
【請求項２】
前記ワイヤレス中継器を介して前記構成メッセージを受信することをさらに備える、
請求項１に記載の方法。
【請求項３】
前記ワイヤレス中継器とのデバイスツーデバイス（Ｄ２Ｄ）通信リンクを確立することをさらに備える、
請求項１に記載の方法。
【請求項４】
近接度に基づいたサービス（ＰｒｏＳｅ）シグナリングプロトコルに少なくとも部分的に基づいて、前記モニタリング要求を送信することをさらに備える、
請求項１に記載の方法。
【請求項５】
前記ブロードキャストサービスは、発展型マルチメディアブロードキャストマルチキャストサービス（ｅＭＢＭＳ）を備える、
請求項１に記載の方法。
【請求項６】
前記グループ通信識別子は、一時的モバイルグループアイデンティティ（ＴＭＧＩ）を備える、
請求項１に記載の方法。
【請求項７】
ワイヤレス通信の方法であって、
遠隔ワイヤレスデバイスから、グループ通信識別子、優先度インジケータ、およびタイムスタンプを備えるモニタリング要求を受信することと、
前記グループ通信識別子に関連付けられた第２の優先度インジケータを受信することと、
前記グループ通信識別子に関連付けられたブロードキャストコンテンツを受信することと、
最後の優先度インジケータに少なくとも部分的に基づいて、前記遠隔ワイヤレスデバイスに前記ブロードキャストコンテンツを中継すること、前記最後に受信された優先度インジケータは、前記タイムスタンプに少なくとも部分的に基づいて決定される、と
を備える、方法。
【請求項８】
前記遠隔ワイヤレスデバイスに構成メッセージを中継することをさらに備え、前記構成メッセージは、前記グループ通信識別子および前記優先度インジケータを備える、
請求項７に記載の方法。
【請求項９】
前記優先度インジケータおよび前記第２の優先度インジケータを備えるセットから、最大優先度インジケータを識別することをさらに備え、前記ブロードキャストコンテンツを中継することは、前記最大優先度インジケータに少なくとも部分的に基づく、
請求項７に記載の方法。
【請求項１０】
前記遠隔ワイヤレスデバイスとのデバイスツーデバイス（Ｄ２Ｄ）通信リンクを確立することをさらに備える、
請求項７に記載の方法。
【請求項１１】
前記ブロードキャストコンテンツは、発展型マルチメディアブロードキャストマルチキャストサービス（ｅＭＢＭＳ）コンテンツを備える、
請求項７に記載の方法。
【請求項１２】
前記グループ通信識別子は、一時的モバイルグループアイデンティティ（ＴＭＧＩ）を備える、
請求項７に記載の方法。
【請求項１３】
ワイヤレス通信のための装置であって、
ブロードキャストサービスについての構成メッセージを受信するための手段、前記構成メッセージは、グループ通信識別子および優先度インジケータを備える、と、
前記グループ通信識別子、前記優先度インジケータ、およびタイムスタンプを備えるモニタリング要求をワイヤレス中継器に送信するためのさらなる手段と、
前記グループ通信識別子および最後の優先度インジケータに少なくとも部分的に基づいて、前記ワイヤレス中継器を介して前記ブロードキャストサービスについてのブロードキャストコンテンツを受信するための手段、ここにおいて、前記最後に受信された優先度インジケータは、前記タイムスタンプに少なくとも部分的に基づいて決定される、と
を備える、装置。
【請求項１４】
ワイヤレス通信のための装置であって、
遠隔ワイヤレスデバイスから、グループ通信識別子、優先度インジケータ、およびタイムスタンプを備えるモニタリング要求を受信するための手段と、
前記グループ通信識別子に関連付けられた第２の優先度インジケータを受信するための手段と、
前記グループ通信識別子に関連付けられたブロードキャストコンテンツを受信するための手段と、
最後の優先度インジケータに少なくとも部分的に基づいて、前記遠隔ワイヤレスデバイスに前記ブロードキャストコンテンツを中継するための手段、ここにおいて、前記最後に受信された優先度インジケータは、前記タイムスタンプに少なくとも部分的に基づいて決定される、と
を備える、装置。
【請求項１５】
ワイヤレス通信のためのコードを記憶したコンピュータ可読媒体であって、前記コードは、コンピュータによって実行されると、前記コンピュータに、請求項１乃至６、または請求項７乃至１２のいずれか１項に従う方法を実行させる命令を備える、コンピュータ可読媒体。
【手続補正２】
【補正対象書類名】明細書
【補正対象項目名】００８８
【補正方法】変更
【補正の内容】
【００８８】
[0093]ここでの説明は、当業者が本開示を製造または使用することを可能にするために提供される。本開示への様々な修正は、当業者には容易に明らかとなり、ここで定義した一般原理は、本開示の範囲から逸脱することなく、他の変形形態に適用され得る。したがって、本開示は、ここで説明された例および設計に限定されるべきではなく、ここで開示された原理および新規の特徴に合致する最も広い範囲を与えられることとなる。
以下に、本願出願の当初の特許請求の範囲に記載された発明を付記する。
［Ｃ１］
ワイヤレス通信の方法であって、
ブロードキャストサービスについての構成メッセージを受信すること、前記構成メッセージは、グループ通信識別子および優先度インジケータを備える、と、
前記グループ通信識別子および前記優先度インジケータを備えるモニタリング要求をワイヤレス中継器に送信することと、
前記グループ通信識別子および前記優先度インジケータに少なくとも部分的に基づいて、前記ワイヤレス中継器を介して前記ブロードキャストサービスについてのブロードキャストコンテンツを受信することと
を備える、方法。
［Ｃ２］
前記ワイヤレス中継器を介して前記構成メッセージを受信することをさらに備える、
［Ｃ１］に記載の方法。
［Ｃ３］
前記モニタリング要求は、タイムスタンプを備える、
［Ｃ１］に記載の方法。
［Ｃ４］
前記ワイヤレス中継器とのデバイスツーデバイス（Ｄ２Ｄ）通信リンクを確立することをさらに備える、
［Ｃ１］に記載の方法。
［Ｃ５］
近接度に基づいたサービス（ＰｒｏＳｅ）シグナリングプロトコルに少なくとも部分的に基づいて、前記モニタリング要求を送信することをさらに備える、
［Ｃ１］に記載の方法。
［Ｃ６］
前記ブロードキャストサービスは、発展型マルチメディアブロードキャストマルチキャストサービス（ｅＭＢＭＳ）を備える、
［Ｃ１］に記載の方法。
［Ｃ７］
前記グループ通信識別子は、一時的モバイルグループアイデンティティ（ＴＭＧＩ）を備える、
［Ｃ１］に記載の方法。
［Ｃ８］
ワイヤレス通信の方法であって、
遠隔ワイヤレスデバイスから、グループ通信識別子および優先度インジケータを備えるモニタリング要求を受信することと、
前記グループ通信識別子に関連付けられたブロードキャストコンテンツを受信することと、
前記優先度インジケータに少なくとも部分的に基づいて、前記遠隔ワイヤレスデバイスに前記ブロードキャストコンテンツを中継することと
を備える、方法。
［Ｃ９］
前記遠隔ワイヤレスデバイスに構成メッセージを中継することをさらに備え、前記構成メッセージは、前記グループ通信識別子および前記優先度インジケータを備える、
［Ｃ８］に記載の方法。
［Ｃ１０］
前記グループ通信識別子に関連付けられた第２の優先度インジケータを受信することをさらに備える、
［Ｃ８］に記載の方法。
［Ｃ１１］
前記優先度インジケータおよび前記第２の優先度インジケータを備えるセットから、最大優先度インジケータを識別することをさらに備え、前記ブロードキャストコンテンツを中継することは、前記最大優先度インジケータに少なくとも部分的に基づく、
［Ｃ１０］に記載の方法。
［Ｃ１２］
前記モニタリング要求は、タイムスタンプを備え、
前記方法は、前記タイムスタンプに少なくとも部分的に基づいて、前記優先度インジケータおよび前記第２の優先度インジケータを備えるセットから、最後に受信された優先度インジケータを決定することをさらに備え、前記ブロードキャストコンテンツは、前記最後に受信された優先度インジケータに少なくとも部分的に基づく、
［Ｃ１０］に記載の方法。
［Ｃ１３］
前記遠隔ワイヤレスデバイスとのデバイスツーデバイス（Ｄ２Ｄ）通信リンクを確立することをさらに備える、
［Ｃ８］に記載の方法。
［Ｃ１４］
前記モニタリング要求は、近接度に基づいたサービス（ＰｒｏＳｅ）シグナリングプロトコルに少なくとも部分的に基づいて送信される、
［Ｃ８］に記載の方法。
［Ｃ１５］
前記ブロードキャストコンテンツは、発展型マルチメディアブロードキャストマルチキャストサービス（ｅＭＢＭＳ）コンテンツを備える、
［Ｃ８］に記載の方法。
［Ｃ１６］
前記グループ通信識別子は、一時的モバイルグループアイデンティティ（ＴＭＧＩ）を備える、
［Ｃ８］に記載の方法。
［Ｃ１７］
ワイヤレス通信のための装置であって、
ブロードキャストサービスについての構成メッセージを受信するための手段、前記構成メッセージは、グループ通信識別子および優先度インジケータを備える、と、
前記グループ通信識別子および前記優先度インジケータを備えるモニタリング要求をワイヤレス中継器に送信するためのさらなる手段と、
前記グループ通信識別子および前記優先度インジケータに少なくとも部分的に基づいて、前記ワイヤレス中継器を介して前記ブロードキャストサービスについてのブロードキャストコンテンツを受信するための手段と
を備える、装置。
［Ｃ１８］
前記ワイヤレス中継器を介して前記構成メッセージを受信するための手段をさらに備える、
［Ｃ１７］に記載の装置。
［Ｃ１９］
前記モニタリング要求は、タイムスタンプを備える、
［Ｃ１７］に記載の装置。
［Ｃ２０］
前記ワイヤレス中継器とのデバイスツーデバイス（Ｄ２Ｄ）通信リンクを確立するための手段をさらに備える、
［Ｃ１７］に記載の装置。
［Ｃ２１］
近接度に基づいたサービス（ＰｒｏＳｅ）シグナリングプロトコルに少なくとも部分的に基づいて、前記モニタリング要求を送信するための手段をさらに備える、
［Ｃ１７］に記載の装置。
［Ｃ２２］
前記ブロードキャストサービスは、発展型マルチメディアブロードキャストマルチキャストサービス（ｅＭＢＭＳ）を備える、
［Ｃ１７］に記載の装置。
［Ｃ２３］
前記グループ通信識別子は、一時的モバイルグループアイデンティティ（ＴＭＧＩ）を備える、
［Ｃ１７］に記載の装置。
［Ｃ２４］
ワイヤレス通信のための装置であって、
遠隔ワイヤレスデバイスから、グループ通信識別子および優先度インジケータを備えるモニタリング要求を受信するための手段と、
前記グループ通信識別子に関連付けられたブロードキャストコンテンツを受信するための手段と、
前記優先度インジケータに少なくとも部分的に基づいて、前記遠隔ワイヤレスデバイスに前記ブロードキャストコンテンツを中継するための手段と
を備える、装置。
［Ｃ２５］
前記遠隔ワイヤレスデバイスに構成メッセージを中継するための手段をさらに備え、前記構成メッセージは、前記グループ通信識別子および前記優先度インジケータを備える、
［Ｃ２４］に記載の装置。
［Ｃ２６］
前記グループ通信識別子に関連付けられた第２の優先度インジケータを受信するための手段をさらに備える、
［Ｃ２４］に記載の装置。
［Ｃ２７］
前記優先度インジケータおよび前記第２の優先度インジケータを備えるセットから、最大優先度インジケータを識別するための手段をさらに備え、前記ブロードキャストコンテンツを中継することは、前記最大優先度インジケータに少なくとも部分的に基づく、
［Ｃ２６］に記載の装置。
［Ｃ２８］
前記モニタリング要求は、タイムスタンプを備え、
前記装置は、前記タイムスタンプに少なくとも部分的に基づいて、前記優先度インジケータおよび前記第２の優先度インジケータを備えるセットから、最後に受信された優先度インジケータを決定するための手段をさらに備え、前記ブロードキャストコンテンツは、前記最後に受信された優先度インジケータに少なくとも部分的に基づく、
［Ｃ２６］に記載の装置。
［Ｃ２９］
前記遠隔ワイヤレスデバイスとのデバイスツーデバイス（Ｄ２Ｄ）通信リンクを確立するための手段をさらに備える、
［Ｃ２４］に記載の装置。
［Ｃ３０］
前記モニタリング要求は、近接度に基づいたサービス（ＰｒｏＳｅ）シグナリングプロトコルに少なくとも部分的に基づいて送信される、
［Ｃ２４］に記載の装置。
［Ｃ３１］
前記ブロードキャストコンテンツは、発展型マルチメディアブロードキャストマルチキャストサービス（ｅＭＢＭＳ）コンテンツを備える、
［Ｃ２４］に記載の装置。
［Ｃ３２］
前記グループ通信識別子は、一時的モバイルグループアイデンティティ（ＴＭＧＩ）を備える、
［Ｃ２４］に記載の装置。
［Ｃ３３］
ワイヤレス通信のための装置であって、
プロセッサと、
前記プロセッサと電子通信状態にあるメモリと、
前記メモリに記憶され、かつ前記プロセッサによって実行されると、前記装置に、
ブロードキャストサービスについての構成メッセージを受信すること、前記構成メッセージは、グループ通信識別子および優先度インジケータを備える、と、
前記グループ通信識別子および前記優先度インジケータを備えるモニタリング要求をワイヤレス中継器に送信することと、
前記グループ通信識別子および前記優先度インジケータに少なくとも部分的に基づいて、前記ワイヤレス中継器を介して前記ブロードキャストサービスについてのブロードキャストコンテンツを受信することと
を行わせるように動作可能である命令と
を備える、装置。
［Ｃ３４］
前記命令は、前記装置に、
前記ワイヤレス中継器を介して前記構成メッセージを受信することを行わせるように動作可能である、
［Ｃ３３］に記載の装置。
［Ｃ３５］
前記モニタリング要求は、タイムスタンプを備える、
［Ｃ３３］に記載の装置。
［Ｃ３６］
前記命令は、前記装置に、
前記ワイヤレス中継器とのデバイスツーデバイス（Ｄ２Ｄ）通信リンクを確立することを行わせるように動作可能である、
［Ｃ３３］に記載の装置。
［Ｃ３７］
前記命令は、前記装置に、
近接度に基づいたサービス（ＰｒｏＳｅ）シグナリングプロトコルに少なくとも部分的に基づいて、前記モニタリング要求を送信することを行わせるように動作可能である、
［Ｃ３３］に記載の装置。
［Ｃ３８］
前記ブロードキャストサービスは、発展型マルチメディアブロードキャストマルチキャストサービス（ｅＭＢＭＳ）を備える、
［Ｃ３３］に記載の装置。
［Ｃ３９］
前記グループ通信識別子は、一時的モバイルグループアイデンティティ（ＴＭＧＩ）を備える、
［Ｃ３３］に記載の装置。
［Ｃ４０］
ワイヤレス通信のための装置であって、
プロセッサと、
前記プロセッサと電子通信状態にあるメモリと、
前記メモリに記憶され、かつ前記プロセッサによって実行されると、前記装置に、
遠隔ワイヤレスデバイスから、グループ通信識別子および優先度インジケータを備えるモニタリング要求を受信することと、
前記グループ通信識別子に関連付けられたブロードキャストコンテンツを受信することと、
前記優先度インジケータに少なくとも部分的に基づいて、前記遠隔ワイヤレスデバイスに前記ブロードキャストコンテンツを中継することと
を行わせるように動作可能である命令と
を備える、装置。
［Ｃ４１］
前記命令は、前記装置に、
前記遠隔ワイヤレスデバイスに構成メッセージを中継することを行わせるように動作可能であり、前記構成メッセージは、前記グループ通信識別子および前記優先度インジケータを備える、
［Ｃ４０］に記載の装置。
［Ｃ４２］
前記命令は、前記装置に、
前記グループ通信識別子に関連付けられた第２の優先度インジケータを受信することを行わせるように動作可能である、
［Ｃ４０］に記載の装置。
［Ｃ４３］
前記命令は、前記装置に、
前記優先度インジケータおよび前記第２の優先度インジケータを備えるセットから、最大優先度インジケータを識別することを行わせるように動作可能であり、前記ブロードキャストコンテンツを中継することは、前記最大優先度インジケータに少なくとも部分的に基づく、
［Ｃ４２］に記載の装置。
［Ｃ４４］
前記モニタリング要求は、タイムスタンプを備え、
前記命令は、前記装置に、前記タイムスタンプに少なくとも部分的に基づいて、前記優先度インジケータおよび前記第２の優先度インジケータを備えるセットから、最後に受信された優先度インジケータを決定することを行わせるように動作可能であり、前記ブロードキャストコンテンツは、前記最後に受信された優先度インジケータに少なくとも部分的に基づく、
［Ｃ４２］に記載の装置。
［Ｃ４５］
前記命令は、前記装置に、
前記遠隔ワイヤレスデバイスとのデバイスツーデバイス（Ｄ２Ｄ）通信リンクを確立することを行わせるように動作可能である、
［Ｃ４０］に記載の装置。
［Ｃ４６］
前記モニタリング要求は、近接度に基づいたサービス（ＰｒｏＳｅ）シグナリングプロトコルに少なくとも部分的に基づいて送信される、
［Ｃ４０］に記載の装置。
［Ｃ４７］
前記ブロードキャストコンテンツは、発展型マルチメディアブロードキャストマルチキャストサービス（ｅＭＢＭＳ）コンテンツを備える、
［Ｃ４０］に記載の装置。
［Ｃ４８］
前記グループ通信識別子は、一時的モバイルグループアイデンティティ（ＴＭＧＩ）を備える、
［Ｃ４０］に記載の装置。
［Ｃ４９］
ワイヤレス通信のためのコードを記憶した非一時的なコンピュータ可読媒体であって、前記コードは、
ブロードキャストサービスについての構成メッセージを受信すること、前記構成メッセージは、グループ通信識別子および優先度インジケータを備える、と、
前記グループ通信識別子および前記優先度インジケータを備えるモニタリング要求をワイヤレス中継器に送信することと、
前記グループ通信識別子および前記優先度インジケータに少なくとも部分的に基づいて、前記ワイヤレス中継器を介して前記ブロードキャストサービスについてのブロードキャストコンテンツを受信することと
を行うように実行可能な命令を備える、非一時的なコンピュータ可読媒体。
［Ｃ５０］
ワイヤレス通信のためのコードを記憶した非一時的なコンピュータ可読媒体であって、前記コードは、
遠隔ワイヤレスデバイスから、グループ通信識別子および優先度インジケータを備えるモニタリング要求を受信することと、
前記グループ通信識別子に関連付けられたブロードキャストコンテンツを受信することと、
前記優先度インジケータに少なくとも部分的に基づいて、前記遠隔ワイヤレスデバイスに前記ブロードキャストコンテンツを中継することと
を行うように実行可能な命令を備える、非一時的なコンピュータ可読媒体。
［Ｃ５１］
前記命令は、
前記遠隔ワイヤレスデバイスに構成メッセージを中継することを行うように実行可能であり、前記構成メッセージは、前記グループ通信識別子および前記優先度インジケータを備える、
［Ｃ５０］に記載の非一時的なコンピュータ可読媒体。